(57)【要約】  本発明は、シングルサーブカプセルマシンで使用するためのアダプタ（１）に関し、アダプタ（１）は、受容部（３）を有するアダプタ主要本体（２）を有し、受容部（３）はシングルサーブカプセル（４）を受け入れるために設けられ、アダプタ主要本体（２）は円周方向フランジ（５）をさらに有し、この円周方向フランジ（５）は、少なくともいくつかの領域において識別手段（６）を設けられ、又はアダプタ主要本体（２）は、リングとして設計され、その中心にシングルサーブカプセル（４）用の受容部が形成される。本発明は、アダプタの、及びシングルサーブカプセル（４）の、及び任意選択的にシングルサーブカプセルマシンの対応するシステムにさらに関する。
2020516349.tif 000002
【特許請求の範囲】
【請求項１】
受容部（３）を備えたアダプタ主要本体（２）を有し、前記受容部（３）がシングルサーブカプセル（４）を受け入れるために設けられている、シングルサーブカプセルマシンで使用するためのアダプタ（１）において、
前記アダプタ主要本体（２）が、円周方向フランジ（５）を有し、
前記円周方向フランジ（５）が、少なくともいくつかの領域において識別手段（６）を設けられていることを特徴とするアダプタ（１）。
【請求項２】
前記識別手段（６）が、バーコード及び／又は二次元バーコードであり、
前記バーコード及び／又は二次元バーコードが、前記円周方向フランジ（５）の上面又は下面に円周方向に形成されている、請求項１に記載のアダプタ（１）。
【請求項３】
前記アダプタ（１）が、前記受容部（３）の領域に、前記シングルサーブカプセル（４）に形状合致式に及び／又は圧力嵌め式に係止するための係止手段を備えている、請求項１又は請求項２に記載のアダプタ（１）。
【請求項４】
前記アダプタ主要本体（２）が、リング（１０）として構成され、
その中心に前記シングルサーブカプセル（４）用の前記受容部（３）が、形成されていることを特徴とする、請求項１〜請求項３のいずれか一項に記載の又は請求項１の前提部に記載のアダプタ（１）。
【請求項５】
前記リング（１０）が、２つの部分で存在し、
前記リング（１０）の第１リングセグメント（８）が、第２リングセグメント（９）に可逆的に接続可能であり、
前記第１及び前記第２リングセグメント（８、９）が、それぞれ半円の形で構成されている、請求項４に記載のアダプタ（１）。
【請求項６】
前記アダプタ（１）が以下のように構成される、すなわち、前記第１リングセグメント（８）を前記第２リングセグメント（９）に接続することによって前記リング（１０）が形成され、
前記シングルサーブカプセル（４）が、前記受容部（３）に固定され、
前記シングルサーブカプセル（４）が、前記第１リングセグメント（８）と前記第２リングセグメント（９）との間にクランプされる、請求項５に記載のアダプタ（１）。
【請求項７】
前記リング（１０）を形成するために、前記第１リングセグメント（８）及び前記第２リングセグメント（９）を互いに係止することができる、請求項６に記載のアダプタ（１）。
【請求項８】
前記リング（１０）が、一体部品で存在する、請求項４に記載のアダプタ（１）。
【請求項９】
前記アダプタ（１）が、さらなるリング（１１）を有し、
前記リング（１０）及び前記さらなるリング（１１）が、互いに可逆的に接続可能であり、特に互いに係止可能である、請求項８に記載のアダプタ（１）。
【請求項１０】
前記アダプタ（１）が以下のように構成される、すなわち、前記リング（１０）を前記さらなるリング（１１）に接続することによって前記シングルサーブカプセル（４）が前記受容部（３）に固定され、この際、特に、前記シングルサーブカプセル（４）のフランジが、前記リング（１０）と前記さらなるリング（１１）との間で形状合致式の係合により固定されている、好ましくはクランプされる、請求項９に記載のアダプタ（１）。
【請求項１１】
前記受容部（３）が、前記アダプタ主要本体（２）内に円周方向凹部（７）を備え、前記凹部（７）内に前記シングルサーブカプセル（４）のフランジを前記アダプタ主要本体（２）と面一に受け入れることができる、請求項１〜請求項１０のいずれか一項に記載のアダプタ（１）。
【請求項１２】
前記受容部（３）が、前記アダプタ主要本体（２）内に円周方向縁部を備え、前記円周方向縁部内に、前記シングルサーブカプセル（４）の外側輪郭内に形成された積み重ね縁部が、横たわっている、請求項１〜請求項１１のいずれか一項に記載のアダプタ（１）。
【請求項１３】
前記アダプタ（１）の外側輪郭が、少なくとも部分的に凸状である、請求項１〜請求項１２のいずれか一項に記載のアダプタ（１）。
【請求項１４】
前記アダプタ（１）が、前記シングルサーブカプセル（４）を前記シングルサーブカプセルマシンの回転する製造チャンバ内に保持するように設計されている、請求項１〜請求項１３のいずれか一項に記載のアダプタ（１）。
【請求項１５】
前記アダプタ（１）が、前記シングルサーブカプセルを回転しないように受け入れるためのねじれ防止手段を有している、請求項１４に記載のアダプタ（１）。
【請求項１６】
前記アダプタ（１）のその縦方向軸に沿った縦方向の広がりが、前記シングルサーブカプセル（４）の前記縦方向軸に沿った縦方向の広がりよりも短い、請求項１〜請求項１５のいずれか一項に記載のアダプタ（１）。
【請求項１７】
請求項１〜請求項１６のいずれか一項に記載のアダプタ（１）と、シングルサーブカプセル（４）とからなるシステム。
【請求項１８】
前記システムが、シングルサーブカプセルマシンをさらに備えている、請求項１７に記載のシステム。
【請求項１９】
前記シングルサーブカプセルマシンが、シングルサーブカプセル（４）を備えた前記アダプタ（１）を受け入れるための製造チャンバを有し、
前記シングルサーブカプセルマシンが、前記シングルサーブカプセル（４）のカバーフィルムに入口開口部を形成するための穿孔手段を有し、
前記入口開口部を介して製造用液体が、前記シングルサーブカプセル（４）に搬送され、
前記シングルサーブカプセルマシンが、前記カバーフィルムに出口開口部を形成するための穿孔手段を有し、
前記出口開口部を介して、前記製造用液体と飲料基体との相互作用によって前記シングルサーブカプセル（４）の内側で生成された飲料が、前記シングルサーブカプセル（４）から搬送される、請求項１８に記載のシステム。
【請求項２０】
前記製造チャンバが、抽出プロセス中に少なくとも部分的に回転駆動可能であり、その結果、前記少なくとも１つの出口開口部を介した前記飲料の流れが加勢される、請求項１９に記載のシステム。
【発明の詳細な説明】
【技術分野】
【０００１】
本発明は、シングルサーブカプセルマシンで使用するアダプタに関し、アダプタは、受容部を備えたアダプタ主要本体を有し、受容部は、シングルサーブカプセルを受け入れるために設けられている。
【背景技術】
【０００２】
シングルサーブカプセルは、飲料、特に、コーヒー又は紅茶飲料を作るために使用されるものであり、非常に異なる形状及び／又はサイズをしばしば有する。
それにも関わらず、異なる機械で異なるシングルサーブカプセルを使用できるようにするために、アダプタが、例えば、米国特許出願公開第２０１５／００５６３３１  Ａ１号明細書、国際公開第２０１４／１６３４９７  Ａ１号パンフレット、又は、国際公開第２０１４／１２８５４２  Ａ１号パンフレットから当業者に知られており、アダプタによって、異なるシングルサーブカプセルに、異なるコーヒーマシンとの適合性が付与される。
【発明の概要】
【発明が解決しようとする課題】
【０００３】
本発明の目的は、改善されたアダプタを利用可能にすることであり、この改善されたアダプタは、シングルサーブカプセル上の対応する識別手段を読み取ることができた場合のみ起動し及び／又は製造チャンバの回転に基づく種類のシングルサーブカプセルマシンにおいて従来のシングルサーブカプセルを使用する可能性も付与する。
【課題を解決するための手段】
【０００４】
この目的は、シングルサーブカプセルマシンで使用するアダプタであって、受容部を備えたアダプタ主要本体を有し、受容部は、シングルサーブカプセルを受け入れるために設けられている、アダプタにおいて、アダプタ主要本体が円周方向フランジをさらに有し、円周方向フランジは、いくつかの領域において識別手段を設けられていることを特徴とするアダプタによって達成される。
【０００５】
したがって、識別手段は、シングルサーブカプセル上ではなく、代わりに、シングルサーブカプセルを受け入れるためのアダプタ上に配置される。
この結果、読み取られる識別手段を有する本発明によるアダプタを用いて、シングルサーブカプセルから対応する識別手段を読み取ることができた場合に限り、飲料製造プロセスを開始する種類のシングルサーブカプセルマシンで従来のシングルサーブカプセルを同じく使用することができる。
【０００６】
アダプタは、一回使用した後に使い捨てされるアダプタ、又は、いくつかの異なるシングルサーブカプセルが連続的に備え付けられる再利用可能なアダプタのいずれかである。
【０００７】
識別手段は、バーコード及び／又は二次元バーコードを含むことが好ましく、これは、円周方向に、特に好ましくは、アダプタのフランジの上面又は下面に形成される。
【０００８】
アダプタは、受容部の領域に、シングルサーブカプセルに対して形状合致式に及び圧力嵌め式に係止するための係止手段を有する。
【０００９】
本発明のさらに実施形態、又は、最初に記載した問題を解決するための本発明のさらなる主題は、シングルサーブカプセルマシンで使用するためのアダプタであり、アダプタは、受容部を備えたアダプタ主要本体を有し、受容部は、シングルサーブカプセルを受け入れるために設けられ、アダプタ主要本体は、リングとして構成され、その中心にシングルサーブカプセル用の受容部が形成される。
【００１０】
その環状の形状によって、本発明によるアダプタは、製造チャンバの回転に基づく種類のシングルサーブカプセルマシンにおける従来のシングルサーブカプセルの使用を可能にする。
【００１１】
本発明によるアダプタは、いくつかの領域において識別手段が設けられた円周方向フランジをさらに有する。
ここで、識別手段は、円周方向に、特に、フランジの上面又は下面に形成されたバーコード及び／又は二次元バーコードであると好ましい。
【００１２】
アダプタは、受容部の領域に、シングルサーブカプセルに対して形状合致式に及び圧力嵌め式に係止するための係止手段を備えることが考えられ、その結果、シングルサーブカプセルを装着されたアダプタをシングルサーブカプセルマシンに挿入する間、シングルサーブカプセルとアダプタの意図しない分離が防止される。
【００１３】
本発明の実施形態によれば、リングは、２つの部分で形成され、リングの第１リングセグメントは、第２リングセグメントに可逆的に接続可能であり、好ましくは、第１リングセグメント及び第２リングセグメントは、それぞれ半円の形で形成される。
したがって、リングの円周方向において、リングは、第１リングセグメントと第２リングセグメントからなる。
アダプタは、第１リングセグメントを第２リングセグメントに接続することによって、リングが作り出され、シングルサーブカプセルが、受容部に固定され、その際、シングルサーブカプセルが、第１リングセグメントと第２リングセグメントとの間にクランプされるように構成されている。
第１リングセグメントと第２リングセグメントは、リングを形成するために、互いに係止されることができる。
したがって、アダプタは、シングルサーブカプセルの周りで一緒にクリップ留めされ、その結果、シングルサーブカプセルは、リングの内側に固定される。
【００１４】
本発明の実施形態によれば、リングは、一体部品で形成されている。
【００１５】
アダプタが、さらなるリングを有し、リング及びさらなるリングが、互いに可逆的に接続可能であり、特に、係止可能である。
特に、２つのリングは、接続中に上下に配置され、互いに係止される。
接続された状態において、一方のリングが、シングルサーブカプセルのフランジの下に配置され、他方のリングが、シングルサーブカプセルのフランジの上に配置され、その結果、シングルサーブカプセルは、２つのリングを接続することによって、ここで、アダプタ内に同じく固定されることが考えられる。
言い換えれば、アダプタは、リングをさらなるリングに接続することによってシングルサーブカプセルが、受容部に固定されるように構成され、その際、シングルサーブカプセルのフランジは、リングとさらなるリングとの間で形状合致式の係合により固定される、好ましくは、クランプされる。
【００１６】
本発明の実施形態によれば、受容部は、アダプタ主要本体内に円周方向凹部を備え、円周方向凹部内にシングルサーブカプセルのフランジをアダプタ主要本体と面一に受け入れることができる。
【００１７】
本発明の実施形態によれば、受容部は、アダプタ主要本体内に円周方向縁部を備え、円周方向縁部内に、シングルサーブカプセルの外側輪郭内に形成された積み重ね縁部が横たわる。
【００１８】
本発明の実施形態によれば、アダプタの外側輪郭は、部分的に凸状である。
特に、外側輪郭は、半球状の膨らみ（「ドーム」とも呼ばれる）を形成する。
このようにして、例えば、シングルサーブカプセルの多角形及び円筒形の外側形状を、製造チャンバの凹状の半球状の膨らんだ形状に適合させることができる。
【００１９】
本発明の実施形態によれば、アダプタは、シングルサーブカプセルをシングルサーブカプセルマシンの回転する製造チャンバ内に保持するように設計される。
シングルサーブカプセルを回転しないように受け入れるためのねじれ防止手段が、アダプタとシングルサーブカプセルとの間に設けられ、その結果、回転する製造チャンバ内のアダプタに対するシングルサーブカプセルの回転が抑制される。
ねじれ防止手段は、シングルサーブカプセル及び／又はシングルサーブカプセルのフランジを受容部内で又はアダプタ主要本体内で圧力嵌め係合によりクランプすることによって実現可能である。
あるいは、第１リングセグメントと第２リングセグメントを接続する間、又は、リングとさらなるリングを接続する間、アダプタから突出する鋭利な穴あけ先端部が、シングルサーブカプセルの壁及び／又はフランジを容易に貫通し、アダプタが、製造チャンバ内で回転するとき、シングルサーブカプセルをアダプタに対して適切な位置に保持する。
【００２０】
本発明の実施形態によれば、アダプタのその縦方向軸に沿った縦方向の広がりは、縦方向軸に沿ったシングルサーブカプセルの縦方向の広がりよりも短い。
【００２１】
本発明のさらなる主題は、本発明によるアダプタとシングルサーブカプセルとからなるシステムである。
【００２２】
シングルサーブカプセルは、飲料原料と、任意選択的にフィルタと、任意選択的に液体分配器とが中に提供されたカプセル本体を有する。
カプセル本体は、壁及び底を有する。
壁は、円錐状に設けられ、その一端に壁と一体的に設けられる底を有する。
壁との間の移行領域に曲率半径が提供される。
壁は、複数のリブを有し、これらの複数のリブは、底に平行に延び、壁の全周に沿って延び、互いに等距離に設けられる。
リブは、壁自体よりも大きい直径を有し、リブ、特に、底に最も近いリブは、他のリブよりも大きい直径を有する。
さらに、壁は、底の反対側にある端部の領域に、突起を有し、突起は、第１に積み重ね縁部として機能し、第２にアダプタの円周方向縁部用の支持体として機能する。
さらに、底の反対側にある壁の端部にカラーが、設けられ、このカラーは、底に平行に延び、カプセル本体を閉じるカバーフィルムが、このカラーに固定される、特に、シールされる。
底は、環状のエンボスを有し、底は、このエンボスの内側に膨らんでいる。
フィルタは、底に固定され、特にシールされ、シール継ぎ目は、環状に設けられ、ここでシール継ぎ目と環状エンボスは、同じ直径を有すると好ましい。
しかしながら、内径と外径は、それぞれ異なっている。
飲料原料は、インスタントコーヒー粉末及び／又は焙煎されて挽かれたコーヒー豆、茶、ココア、乾燥粉乳等を含む。
【００２３】
本発明の実施形態によれば、システムは、シングルサーブカプセルマシンをさらに備える。
シングルサーブカプセルマシンは、シングルサーブカプセルを備えたアダプタを受け入れるための製造チャンバを有し、シングルサーブカプセルマシンは、シングルサーブカプセルのカバーフィルムに少なくとも１つの入口開口部を形成するための少なくとも１つの穿孔手段を有し、この入口開口部を介して製造用液体がシングルサーブカプセルに搬送され、また、シングルサーブカプセルマシンは、カバーフィルムに少なくとも１つの出口開口部を形成するための少なくとも１つの穿孔手段を有し、この出口開口部を介して、製造用液体と飲料基体との相互作用によってシングルサーブカプセルの内側で生成された飲料がシングルサーブカプセルから搬送される。
【００２４】
本発明の実施形態によれば、製造チャンバは、抽出プロセス中に少なくとも部分的に回転駆動可能であり、１つの出口開口部を介した飲料の流れが加勢される。
出口開口部は、製造チャンバの回転軸に対して半径方向に、入口開口部の外側に配置され、飲料は、遠心力によって加勢されて出口開口部の方向に移動される。
【００２５】
本発明は、図面及び実施形態の以下の記載から明らかになる。
図面は、本発明の実施形態を示し、本発明の本質的な概念を限定するものではない。
【図面の簡単な説明】
【００２６】
【図１ａ】本発明の第１実施形態におけるアダプタ及びシステムを示す概略断面図及び概略平面図。
【図１ｂ】本発明の第１実施形態におけるアダプタ及びシステムを示す概略断面図及び概略平面図。
【図２ａ】本発明の第２実施形態におけるアダプタ及びシステムを示す概略断面図及び概略平面図。
【図２ｂ】本発明の第２実施形態におけるアダプタ及びシステムを示す概略断面図及び概略平面図。
【図３ａ】本発明の第３実施形態におけるアダプタ及びシステムを示す概略断面図及び概略平面図。
【図３ｂ】本発明の第３実施形態におけるアダプタ及びシステムを示す概略断面図及び概略平面図。
【図４】本発明の第１実施形態、第２実施形態及び第３実施形態におけるアダプタの円周方向フランジを示す図。
【発明を実施するための形態】
【００２７】
図において、同一の部分は、同じ参照符号が付けられ、同一の部分は、原則として一度だけ名前を付けられる。
【００２８】
図１ａ及び１ｂは、本発明の第１実施形態におけるアダプタ１及びシステムの概略断面図及び概略平面図を示している。
【００２９】
アダプタ１は、シングルサーブカプセル４を取り付けられるように作られ、及び、シングルサーブカプセル４とともにシステムとして、シングルサーブカプセルマシンの製造チャンバに挿入されるように作られている。
アダプタ１を使用することにより、シングルサーブカプセル４上の対応する識別手段を読み取ることができた場合のみ起動し且つ製造チャンバの回転に基づく種類のシングルサーブカプセルマシンで、従来のシングルサーブカプセル４を使用することができる。
さらに、シングルサーブカプセル４の外側の輪郭は、製造チャンバの内側の輪郭に適合させることができる。
【００３０】
アダプタ１は、この目的のために、受容部３を備えたアダプタ主要本体２を有する。
受容部３は、シングルサーブカプセル４を受け入れるために設けられている。
アダプタ主要本体２は、リング１０の形態で構成され、その中心にシングルサーブカプセル４は、配置される。
リング１０は、１つの部品である。
【００３１】
受容部３の領域に、アダプタ主要本体２は、アダプタ主要本体２内の段差の形態にある円周方向凹部７を有し、この円周方向凹部７は、シングルサーブカプセル４のフランジを面一嵌合により受け入れるために設けられている。
【００３２】
加えて、受容部３の領域において、特に、円周方向凹部７の領域において、アダプタ１は、シングルサーブカプセル４に対して形状合致式及び圧力嵌め式に係止するための係止手段を有する。
あるいは、リング１０内の開口部は、シングルサーブカプセル４が、例えば、摩擦係合によってそこにクランプされるように寸法を決められる。
【００３３】
アダプタ１の外側の輪郭は、半球状の膨らみ（「ドーム」とも呼ばれる）の形態で、部分的に凸状であり、アダプタ１は、凹状で半球状に膨らむ製造チャンバに挿入することができる。
さらに、シングルサーブカプセル４の高さは、アダプタ１の高さを上回ることを図１ｂで見ることができる。
【００３４】
アダプタ主要本体２には、円周方向フランジ５も形成されている。
その下面に、円周方向フランジ５は、バーコードの形態の識別手段６を設けられる。
バーコードは、円周方向フランジ５に沿って円周方向に延在し、シングルサーブカプセルマシンがアダプタ１をシステムに適応可能なカプセルとして認識し、抽出プロセスを開始することを保証する働きをし、その結果、アダプタ１の助力により、アダプタ１に配置されたシングルサーブカプセル４は、所望の飲料を作るために使用される。
【００３５】
飲料を作るために、シングルサーブカプセル４をアダプタ１内に配置し、次いで、アダプタ１をシングルサーブカプセル４とともに、システムの一部であるシングルサーブカプセルマシンの製造チャンバに挿入する。
続いて、シングルサーブカプセルマシンの検出装置によってバーコードが読み出され、認識され、飲料製造プロセスが開始される。
この目的のために、シングルサーブカプセル４のカバーフィルムは、シングルサーブカプセルマシンの穿孔手段によって穿孔され、カバーフィルムに入口開口部が形成され、その入口開口部を介して温水を加圧下にシングルサーブカプセル４に導入し、飲料を作ることができる。
さらに、カバーフィルムは、カバーフィルムに複数の出口開口部を形成するためにシングルサーブカプセルマシンのさらなる穿孔手段によって穿孔され、その出口開口部を介して、シングルサーブカプセル４の中で作られた飲料が、シングルサーブカプセル４から排出される。
さらに、飲料製造プロセス中に、製造チャンバは、それ自体の軸を中心に回転するように駆動される。
出口開口部は、回転軸を起点とする半径方向において、入口開口部よりもさらに外側に存在し、ここで、入口開口部は、カバーフィルムのほぼ中央に形成され、出口開口部は、シングルサーブカプセル４の（フランジに隣接する）縁部に形成される。
シングルサーブカプセル４の回転中に飲料液体に作用する遠心力の結果として、シングルサーブカプセル４内で作られた飲料は、出口開口部から排出される。
【００３６】
シングルサーブカプセル４は、ひねり防止手段が形成されるようにアダプタ１内に固定され、アダプタ１に対するシングルサーブカプセル４の回転が抑制される。
【００３７】
図２ａ及び図２ｂは、本発明の第２実施形態におけるアダプタ１及びシステムの概略断面図及び概略平面図を示す。
第２実施形態は、図１ａ及び図１ｂを参照して説明した第１実施形態に本質的に一致し、唯一の違いは、アダプタ１がさらなるリング１０を有することである。
【００３８】
さらなるリング１１は、シングルサーブカプセル４がリング１０に挿入されるとすぐに（矢印１２で示されるように）リング１０に取り付けられる。
さらなるリング１１は、係止接続又は磁気接続又は可逆的接着接続を介してリング１０に接続される。
【００３９】
さらなるリング１１は、シングルサーブカプセル４のフランジに重なり、その結果、シングルサーブカプセル４のフランジがリング１０とさらなるリング１１との間で形状合致式の係合により受け入れられ、それらの間で圧力嵌め係合によりクランプされる。
【００４０】
この実施形態では、円周方向凹部７は、例えば、リング１０の代わりにさらなるリング１１に形成される。
リング１０に又はリング１０、リング１１の両方に円周方向凹部７を形成している。
【００４１】
シングルサーブカプセル４は、ひねり防止手段が形成されるようにアダプタ１内に固定され、アダプタ１に対するシングルサーブカプセル４の回転が抑制される。
【００４２】
図３ａ及び図３ｂは、本発明の第３実施形態におけるアダプタ１及びシステムの概略断面図及び概略平面図を示す。
第３実施形態は、図１ａ及び図１ｂを参照して説明した第１実施形態にほぼ一致するが、唯一の違いは、リング１０が、一体ではなく、代わりに２つの部分で形成されていることである。
【００４３】
この目的のために、リング１０は、それぞれ半円形に形成された第１リングセグメント８及び第２リングセグメント９を含む。
アダプタ１にシングルサーブカプセル４を装填するために、第１リングセグメント８、第２リングセグメント９は、シングルサーブカプセル４の周りに配置され、（矢印１３によって示されるように）それらの前面で互いに接続される。
次いで、シングルサーブカプセル４は、形状合致式の係合によって、また、圧力嵌め係合によって、第１リングセグメント８、第２リングセグメント９の間で囲まれ、クランプされる。
それらの前面における第１リングセグメント８、第２リングセグメント９の接続は、例えば、係止接続又は磁気接続又は可逆式接着接続を介して行われる。
【００４４】
シングルサーブカプセル４は、ひねり防止手段が形成されるようにアダプタ１内に固定され、アダプタ１に対するシングルサーブカプセル４の回転が抑制される。
【００４５】
あるいは、図２ｂで見ることができるように、さらなるリング１１がリング１０の上に配置される。
【００４６】
図４は、本発明の第１実施形態、第２実施形態及び第３実施形態におけるアダプタ１の円周方向フランジ５の底面図を示す。
【００４７】
３つの実施形態のすべてにおいて円周方向フランジ５が、円周方向バーコードを有することが分かる。
あるいは、複数の二次元バーコードが、円周方向フランジ５の下面に円周方向に適用されることも、当然のことながら考えられ得る。
【符号の説明】
【００４８】
１  ・・・アダプタ
２  ・・・アダプタ主要本体
３  ・・・受容部
４  ・・・シングルサーブカプセル
５  ・・・フランジ
６  ・・・識別手段
７  ・・・凹部
８  ・・・第１リングセグメント
９  ・・・第２リングセグメント
１０  ・・・リング
１１  ・・・さらなるリング
１２  ・・・固定方向
１３  ・・・固定方向
【図１ａ】
2020516349.tif 000003
【図１ｂ】
2020516349.tif 000004
【図２ａ】
2020516349.tif 000005
【図２ｂ】
2020516349.tif 000006
【図３ａ】
2020516349.tif 000007
【図３ｂ】
2020516349.tif 000008
【図４】
2020516349.tif 000009
【手続補正書】
【提出日】平成31年4月29日(2019.4.29)
【手続補正１】
【補正対象書類名】特許請求の範囲
【補正対象項目名】全文
【補正方法】変更
【補正の内容】
【特許請求の範囲】
【請求項１】
受容部（３）を備えたアダプタ主要本体（２）を有し、前記受容部（３）はシングルサーブカプセル（４）を受け入れるために設けられている、シングルサーブカプセルマシンで使用するためのアダプタ（１）において、
前記アダプタ主要本体（２）が、リング（１０）として構成され、
その中心に前記シングルサーブカプセル（４）用の前記受容部（３）が、形成され、
前記アダプタ主要本体（２）が、円周方向フランジ（５）を有し、
前記円周方向フランジ（５）が、少なくともいくつかの領域において識別手段（６）を設けられ、
前記識別手段（６）が、バーコードとして構成され、
前記バーコードが、前記円周方向フランジ（５）の下面に形成されていることを特徴とするアダプタ（１）。
【請求項２】
前記識別手段（６）が、バーコード及び／又は二次元バーコードであり、
前記バーコード及び／又は二次元バーコードが、前記円周方向フランジ（５）の下面に円周方向に形成されている、請求項１に記載のアダプタ（１）。
【請求項３】
前記アダプタ（１）が、前記受容部（３）の領域に、前記シングルサーブカプセル（４）に形状合致式に及び／又は圧力嵌め式に係止するための係止手段を備えている、請求項１又は請求項２に記載のアダプタ（１）。
【請求項４】
前記リング（１０）が、２つの部分で存在し、
前記リング（１０）の第１リングセグメント（８）が、第２リングセグメント（９）に可逆的に接続可能であり、
前記第１リングセグメント（８）及び前記第２リングセグメント（９）が、それぞれ半円の形で構成されている、請求項３に記載のアダプタ（１）。
【請求項５】
前記アダプタ（１）が以下のように構成される、すなわち、前記第１リングセグメント（８）を前記第２リングセグメント（９）に接続することによって前記リング（１０）が形成され、
前記シングルサーブカプセル（４）が、前記受容部（３）に固定され、
前記シングルサーブカプセル（４）が、前記第１リングセグメント（８）と前記第２リングセグメント（９）との間にクランプされる、請求項４に記載のアダプタ（１）。
【請求項６】
前記リング（１０）を形成するために、前記第１リングセグメント（８）及び前記第２リングセグメント（９）を互いに係止することができる、請求項５に記載のアダプタ（１）。
【請求項７】
前記リング（１０）が、一体部品で存在する、請求項４に記載のアダプタ（１）。
【請求項８】
前記アダプタ（１）が、さらなるリング（１１）を有し、
前記リング（１０）及び前記さらなるリング（１１）が、互いに可逆的に接続可能であり、特に互いに係止可能である、請求項７に記載のアダプタ（１）。
【請求項９】
前記アダプタ（１）が以下のように構成される、すなわち、前記リング（１０）を前記さらなるリング（１１）に接続することによって前記シングルサーブカプセル（４）が前記受容部（３）に固定され、この際、特に、前記シングルサーブカプセル（４）のフランジが、前記リング（１０）と前記さらなるリング（１１）との間で形状合致式の係合により固定されている、好ましくはクランプされる、請求項８に記載のアダプタ（１）。
【請求項１０】
前記受容部（３）が、前記アダプタ主要本体（２）内に円周方向凹部（７）を備え、前記凹部（７）内に前記シングルサーブカプセル（４）のフランジを前記アダプタ主要本体（２）と面一に受け入れることができる、請求項１〜請求項９のいずれか一項に記載のアダプタ（１）。
【請求項１１】
前記受容部（３）が、前記アダプタ主要本体（２）内に円周方向縁部を備え、前記円周方向縁部内に、前記シングルサーブカプセル（４）の外側輪郭内に形成された積み重ね縁部が、横たわっている、請求項１〜請求項１０のいずれか一項に記載のアダプタ（１）。
【請求項１２】
前記アダプタ（１）の外側輪郭が、少なくとも部分的に凸状である、請求項１〜請求項１１のいずれか一項に記載のアダプタ（１）。
【請求項１３】
前記アダプタ（１）が、前記シングルサーブカプセル（４）を前記シングルサーブカプセルマシンの回転する製造チャンバ内に保持するように設計されている、請求項１〜請求項１２のいずれか一項に記載のアダプタ（１）。
【請求項１４】
前記アダプタ（１）が、前記シングルサーブカプセルを回転しないように受け入れるためのねじれ防止手段を有している、請求項１３に記載のアダプタ（１）。
【請求項１５】
前記アダプタ（１）のその縦方向軸に沿った縦方向の広がりが、前記シングルサーブカプセル（４）の前記縦方向軸に沿った縦方向の広がりよりも短い、請求項１〜請求項１４のいずれか一項に記載のアダプタ（１）。
【請求項１６】
請求項１〜請求項１５のいずれか一項に記載のアダプタ（１）と、シングルサーブカプセル（４）とからなるシステム。
【請求項１７】
前記システムが、シングルサーブカプセルマシンをさらに備えている、請求項１６に記載のシステム。
【請求項１８】
前記シングルサーブカプセルマシンが、シングルサーブカプセル（４）を備えた前記アダプタ（１）を受け入れるための製造チャンバを有し、
前記シングルサーブカプセルマシンが、前記シングルサーブカプセル（４）のカバーフィルムに入口開口部を形成するための少なくとも１つの穿孔手段を有し、
前記入口開口部を介して製造用液体が前記シングルサーブカプセル（４）に搬送され、
前記シングルサーブカプセルマシンが、前記カバーフィルムに出口開口部を形成するための穿孔手段を有し、
前記出口開口部を介して、前記製造用液体と飲料基体との相互作用によって前記シングルサーブカプセル（４）の内側で生成された飲料が、前記シングルサーブカプセル（４）から搬送される、請求項１７に記載のシステム。
【請求項１９】
前記製造チャンバが、抽出プロセス中に少なくとも部分的に回転駆動可能であり、その結果、前記少なくとも１つの出口開口部を介した前記飲料の流れが加勢される、請求項１８に記載のシステム。
【国際調査報告】
2020516349.tif 000010
2020516349.tif 000011
2020516349.tif 000012
2020516349.tif 000013
2020516349.tif 000014
2020516349.tif 000015
2020516349.tif 000016
2020516349.tif 000017
2020516349.tif 000018
2020516349.tif 000019
2020516349.tif 000020
2020516349.tif 000021